(57)【要約】      （修正有）【課題】上階の居室空間に入りやすく、荷物を容易に持ち上げることができるとともに、より広い居室空間を確保することができる居室構造体を提供する。【解決手段】居室構造体は、上下に積み重ね可能な上側居室構造体２において、居室構造体の内部居室空間へ入るための入口となる前方壁部６と、居室構造体の底壁部とを有し、底壁部のうち、前方壁部に接する部分の左端または右端に、所定の奥行きにわたって他の底壁部より低く配置された入口用凹部２０が設けられている。【選択図】図１
0003217524.tif 000002
【実用新案登録請求の範囲】
【請求項１】
上下に積み重ね可能な居室構造体であって、
前記居室構造体の内部居室空間へ入るための入口となる入口面と、
前記居室構造体の底面とを有し、
前記底面のうち、前記入口面に接する部分の少なくとも一部には、所定の奥行きにわたって他の部分の前記底面より低く配置された入口用凹部が設けられている、
ことを特徴とする居室構造体。
【請求項２】
前記居室構造体が他の居室構造体の上に積み重ねられている状態で、
前記入口用凹部の位置には、前記他の居室構造体の接地面と前記入口用凹部とをつなぐはしごが取り付けられている、
請求項１に記載の居室構造体。
【請求項３】
前記入口用凹部に接する前記入口面には、前記内部居室空間へ入るための入口開口が設けられている、
請求項１または請求項２に記載の居室構造体。
【請求項４】
前記入口用凹部は、前記入口面の左右方向中央より左右いずれかにオフセットして配置されている、
請求項１から請求項３のいずれか１項に記載の居室構造体。
【請求項５】
前記内部居室空間内には、前記入口面の左右方向中央より、前記入口用凹部が設けられた側とは反対側にオフセットした位置に、ベッドが配置されている、
請求項４に記載の居室構造体。
【請求項６】
前記内部居室空間内には、前記入口面の左右方向中央より、前記入口用凹部が設けられた側にオフセットした位置に、使用者の荷物を置くことが可能なスペースが設けられている、
請求項４または請求項５に記載の居室構造体。
【請求項７】
請求項１から請求項６のいずれか１項に記載の前記居室構造体を上に積み重ね可能な居室構造体であって、
前記居室構造体の天井面を有し、
前記天井面には、前記入口用凹部に対応する位置に、前記入口用凹部の形状に対応する形状の、前記内部居室空間内に突出する凸部が設けられている、
ことを特徴とする居室構造体。
【請求項８】
前記凸部は、前記居室構造体の入口面の左右方向中央より左右いずれかにオフセットして配置されている、
請求項７に記載の居室構造体。
【請求項９】
前記入口面に、前記内部居室空間へ入るための入口開口が設けられ、
前記入口開口は、前記入口面の左右方向中央より、前記凸部が設けられた側とは反対側にオフセットして配置されている、
請求項８に記載の居室構造体。
【請求項１０】
前記内部居室空間内には、前記入口面の左右方向中央より、前記凸部が設けられた側にオフセットした位置に、ベッドが配置されている、
請求項９に記載の居室構造体。
【請求項１１】
前記内部居室空間内には、前記入口面の左右方向中央より、前記凸部が設けられた側とは反対側にオフセットした位置に、使用者の荷物を置くことが可能なスペースが設けられている、
【請求項１２】
前記内部居室空間内には、前記入口面の内面に、テレビモニタが配置されている、
請求項１から請求項１１のいずれか１項に記載の居室構造体。
【請求項１３】
前記居室構造体の内寸高さは、１３０ｃｍ以上である、
請求項１から請求項１２のいずれか１項に記載の居室構造体。
【請求項１４】
前記居室構造体の内寸横幅は、１３０ｃｍ以上である、
請求項１から請求項１３のいずれか１項に記載の居室構造体。
【請求項１５】
前記入口面に、前記内部居室空間へ入るための入口開口が設けられ、
前記入口面は、前記入口開口以外の部分が壁部で覆われている、
【請求項１６】
請求項７から請求項１１のいずれか１項に記載の居室構造体と、
前記居室構造体の入口面に隣接して配置された廊下と、を備え、
前記廊下の廊下面は、前記居室構造体の設置面よりも高く設置され、
前記廊下面と前記設置面との間には、荷物を収納可能な空間が形成される、
ことを特徴とする居室構造体配置構造。
【考案の詳細な説明】
【技術分野】
【０００１】
本考案は、例えばカプセルホテル等で使用される、居室を構成する居室構造体に関する。
【背景技術】
【０００２】
従来、カプセルホテル等の宿泊施設や仮設居室空間として、内部に居室空間を有する居室構造体がある。例えば特許文献１に記載の居室構造体では、各居室構造体を上下に重ね合わせて、複数の居室空間を形成する。
【先行技術文献】
【特許文献】
【０００３】
【特許文献１】特開２００７−９２３７４号公報
【考案の概要】
【考案が解決しようとする課題】
【０００４】
居室構造体は、使用者が快適に過ごせるように内部の居室空間をできるだけ広くすることが望ましい。しかしながらその一方で、居室空間を広く取るべく居室構造体の高さを高くすると、それに従って上階の居室構造体の床面の高さが高くなる。このため、上階の居室空間に入る際にはしご等を登る際、使用者が恐怖心を抱くことが考えられる。
また、上階の居室構造体の床面の高さが高くなると、使用者が荷物を上階の居室構造体に持ち上げるのが困難になることが考えられる。
本考案の目的は、上記のような欠点を解決しながらより広い居室空間を確保することができる居室構造体を提供することにある。
【課題を解決するための手段】
【０００５】
上記の目的を達成するために、本考案の居室構造体は、上下に積み重ね可能な居室構造体であって、居室構造体の内部居室空間へ入るための入口となる入口面と、居室構造体の底面とを有し、底面のうち、入口面に接する部分の少なくとも一部には、所定の奥行きにわたって他の部分の底面より低く配置された入口用凹部が設けられている、ことを特徴としている。
【０００６】
このように構成された本考案においては、居室構造体の底面の少なくとも一部に入口用凹部が設けられているので、この居室構造体を他の居室構造体の上に配置した際、入口用凹部の高さは、他の部分の底面より低くなる。よって、床面から上の居室構造体の入口までの高さが低くなり、使用者がはしご等を使用して上の居室構造体に上がる際の恐怖心が低減される。また、床面から上の居室構造体の入口までの高さが低くなるので、使用者が荷物を上の居室空間に持ち上げるのが容易になる。
また、入口用凹部を設けることにより、使用者に恐怖心を抱かせたり荷物の持ち上げの負担を強いたりすることなく居室構造体の高さを高くすることが可能となり、より広い居室空間の確保が可能になる。
【０００７】
本考案において、好ましくは、居室構造体が他の居室構造体の上に積み重ねられている状態で、入口用凹部の位置には、他の居室構造体の接地面と入口用凹部とをつなぐはしごが取り付けられている。
このように構成された本考案においては、入口用凹部の位置にはしごが取り付けられているので、上の居室構造体に使用者が登る際に入口用凹部まで登りやすくなり、上の居室構造体を使用しやすくなる。
【０００８】
本考案において、好ましくは、入口用凹部に接する入口面には、内部居室空間へ入るための入口開口が設けられている。
このように構成された本考案においては、入口用凹部に接する入口面に入口開口が設けられているので、使用者が入口開口から内部居室空間へ入りやすくなる。
【０００９】
本考案において、好ましくは、入口用凹部は、入口面の左右方向中央より左右いずれかにオフセットして配置されている。
このように構成された本考案においては、入口用凹部が入口面の左右方向中央より左右いずれかにオフセットして配置されているので、使用者が入口用凹部に足を取られやすくなるなどの不具合が回避される。
【００１０】
本考案において、好ましくは、内部居室空間内には、入口面の左右方向中央より、入口用凹部が設けられた側とは反対側にオフセットした位置に、ベッドが配置されている。
このように構成された本考案においては、入口用凹部が設けられた側とは反対側にオフセットした位置にベッドが配置されているので、就寝時や起床時に使用者が入口用凹部に足を取られやすくなるなどの不具合が回避される。
【００１１】
本考案において、好ましくは、内部居室空間内には、入口面の左右方向中央より、入口用凹部が設けられた側にオフセットした位置に、使用者の荷物を置くことが可能なスペースが設けられている、
このように構成された本考案においては、入口用凹部が設けられた側にオフセットした位置に、使用者の荷物を置くことが可能なスペースが設けられているので、使用者が内部居室空間に荷物を運んで荷物を管理することができるので、利便性が向上する。
【００１２】
本考案において、好ましくは、前述の居室構造体を上に積み重ね可能な居室構造体であって、居室構造体の天井面を有し、天井面には、入口用凹部に対応する位置に、入口用凹部の形状に対応する形状の、内部居室空間内に突出する凸部が設けられている。
このように構成された本考案においては、居室構造体の天井面に、上に積み重ねられる可能性のある居室構造体の入口用凹部に対応する凸部が設けられているので、居室構造体の上に前述の居室構造体を積み重ねると、下の居室構造体の凸部と上の居室構造体の入口用凹部とが互いに嵌まり合う。したがって、上の居室構造体が入口用凹部を有している場合にも、居室構造体を上下干渉なく積み重ねることが可能になる。
【００１３】
本考案において、好ましくは、凸部は、入口面の左右方向中央より左右いずれかにオフセットして配置されている。
このように構成された本考案においては、使用者が内部居室空間で移動する際に凸部に頭部をぶつけるなどの不具合が回避される。
【００１４】
本考案において、好ましくは、入口面に、内部居室空間へ入るための入口開口が設けられ、入口開口は、入口面の左右方向中央より、凸部が設けられた側とは反対側にオフセットして配置されている。
このように構成された本考案においては、入口開口が、凸部が設けられた側とは反対側にオフセットして配置されているので、使用者が入口開口から内部居室空間に入ったときに凸部に頭部をぶつけるなどの不具合が回避される。
【００１５】
本考案において、好ましくは、内部居室空間内には、入口面の左右方向中央より、凸部が設けられた側にオフセットした位置に、ベッドが配置されている。
このように構成された本考案においては、凸部が設けられた側にオフセットした位置にベッドが配置されているので、天井高さが低くなった部分を有効活用することができる。
【００１６】
本考案において、好ましくは、内部居室空間内には、入口面の左右方向中央より、凸部が設けられた側とは反対側にオフセットした位置に、使用者の荷物を置くことが可能なスペースが設けられている、
このように構成された本考案においては、凸部が設けられた側とは反対側にオフセットした位置に、使用者の荷物を置くことが可能なスペースが設けられているので、使用者が内部居室空間に荷物を運んで荷物を管理することができ、利便性が向上する。
【００１７】
本考案において、好ましくは、内部居室空間内には、入口面の内面に、テレビモニタが配置されている。
このように構成された本考案においては、入口面の内面に、テレビモニタが配置されているので、内部居室空間内の壁面スペースを有効活用することができる。
【００１８】
本考案において、好ましくは、居室構造体の内寸高さは、１３０ｃｍ以上である。
このように構成された本考案においては、居室構造体の内寸高さが１３０ｃｍ以上であるので、内部居室空間の高さが十分に確保され、内部居室空間の快適性が向上する。
【００１９】
本考案において、好ましくは、居室構造体の内寸横幅は、１３０ｃｍ以上である。
このように構成された本考案においては、居室構造体の内寸横幅が１３０ｃｍ以上であるので、内部居室空間の幅が十分に確保され、内部居室空間の快適性が向上する。
【００２０】
本考案において、好ましくは、入口面に、内部居室空間へ入るための入口開口が設けられ、入口面は、入口開口以外の部分が壁部で覆われている。
このように構成された本考案においては、入口面のうち入口開口以外の部分が壁部で覆われているので、使用者が入口面の壁部にもたれてくつろぐことも可能になり、居室構造体の利便性が向上する。
【００２１】
本考案の居室構造体配置構造は、前述の居室構造体と、居室構造体の入口面に隣接して配置された廊下と、を備え、廊下の廊下面は、居室構造体の設置面よりも高く設置され、廊下面と設置面との間には、荷物を収納可能な空間が形成される、ことを特徴としている。
このように構成された本考案においては、廊下面と設置面との間に荷物を収納可能な空間が形成されているので、下の居室構造体に更なる収納スペースが確保され、居室構造体の利便性が向上する。
【図面の簡単な説明】
【００２２】
【図１】本考案の一実施形態に係る居室構造体が複数配置された状態を示す正面図である。
【図２】本考案の一実施形態に係る上側居室構造体の正面図である。
【図３】本考案の一実施形態に係る上側居室構造体の図２のIII−III線に沿った側断面図である。
【図４】本考案の一実施形態に係る上側居室構造体の図２のIV−IV線に沿った平断面図である。
【図５】本考案の一実施形態に係る下側居室構造体の正面図である。
【図６】本考案の一実施形態に係る下側居室構造体の図５のVI−VI線に沿った側断面図である。
【図７】本考案の一実施形態に係る下側居室構造体の図５のVII−VII線に沿った平断面図である。
【図８】本考案の他の実施形態に係る下側居室構造体の配置構造を示す図であり、図５のVIII−VIII線に沿った側断面図である。
【考案を実施するための形態】
【００２３】
以下、本考案の好ましい実施形態を添付図面を参照して説明する。
図１は、本考案の一実施形態に係る居室構造体１が複数配置された状態を示す正面図である。この図１に示すように、居室構造体１は、上下に積み重ね可能に構成され、上側に配置される上側居室構造体２と、上側居室構造体２が上に積み重ねられて下側に配置される下側居室構造体４と、を有する。
【００２４】
図２は、本考案の一実施形態に係る上側居室構造体２の正面図であり、図３は、本考案の一実施形態に係る上側居室構造体２の側断面図であり、図４は、本考案の一実施形態に係る上側居室構造体２の平断面図である。これらの図２乃至図４に示すように、上側居室構造体２は、略直方体の箱形に形成されており、正面前方側に配置された前方壁部６、前方壁部６に対向する後方壁部８、左右壁部１０，１２、天井壁部１４、及び底壁部１６を有する。
これらの壁部６，８，１０，１２，１４，１６に囲まれた空間は、使用者が居室として使用する内部居室空間１８であり、内部居室空間１８の前面は、使用者が内部居室空間１８へ入るための入口となる入口面を構成している。
【００２５】
上側居室構造体２の内寸横幅Ｗ１、つまり左右壁部１０，１２の内側壁面間の距離または内部居室空間１８の横幅寸法は、１３０ｃｍ以上に設定されており、本実施形態では、１４０ｃｍに設定されている。また上側居室構造体２の内寸高さＨ１、つまり天井壁部１４の下側壁面と底壁部１６の上側壁面との間の距離または内部居室空間１８の高さ寸法は、１３０ｃｍ以上に設定されており、本実施形態では、１４０ｃｍに設定されている。上側居室構造体２の内寸奥行きＤ１は、２２０ｃｍに設定されている。
【００２６】
図２及び図３に示すように、底壁部１６のうち、入口面に接する部分のうち、前方壁部６の左右方向中央位置Ａよりも左側にオフセットした位置、より具体的には、前方壁部６の左端の位置には、所定の奥行きにわたって他の部分の底壁部１６よりも低く配置された入口用凹部２０が設けられている。
入口用凹部２０は、略直方体に形成され、本実施形態では、横幅ｗ１が６５ｃｍ、高さｈ１が５０ｃｍ、奥行きｄ１が４０ｃｍに設定されている。
【００２７】
入口用凹部２０に接する前方壁部６の位置には、使用者が内部居室空間へ入るための略矩形の入口開口２２が設けられており、入口開口２２以外の入口面は、前方壁部６で覆われている。入口開口２２は、横幅Ｗ２が入口用凹部２０の横幅ｗ１と同じ６５ｃｍに設定され、高さＨ２が入口用凹部２０の底壁上面から１７０ｃｍに設定されている。
また、入口用凹部２０の位置には、入口用凹部２０の底面と下側居室構造体４が設置される床面Ｆとの間に、はしご２４が設けられている。はしご２４の右側の支柱２４Ａは、入口用凹部２０の右側の壁部の前方に配置されている。そして入口用凹部２０の両側には、前方壁部６に手すり２５が設けられている。手すり２５は、入口用凹部２０の高さｈ１に対応する高さ範囲に設けられ、右側の手すり２５Ａは、はしご２４の右側の支柱２４Ａと連続している。
【００２８】
図４に示すように、内部居室空間１８には、使用者が快適に過ごせるように、ベッド２６、使用者の荷物を置くことができるスペースである荷物置き場２８、及びテレビモニタ３０が設置されている。
ベッド２６は、内部居室空間１８において左右方向中央位置Ａより、入口用凹部２０が設けられた側とは反対側、つまり右側にオフセットして設置され、その長手方向が内部居室空間１８の前後方向に沿うように配置されている。ベッド２６の足側の端部と前方壁部６との間のスペースには、使用者が座ることができる、ベッド２６のマットの厚さと同じ厚さのマット２７が配置されている。
荷物置き場２８は、内部居室空間１８において左右方向中央位置Ａより、入口用凹部２０が設けられた側、つまり左側にオフセットして配置されている。
【００２９】
テレビモニタ３０は、内部居室空間１８において前方壁部６に対向する後方壁部８の内壁面に設置されている。また、テレビモニタ３０が設けられた後方壁部８に対向する前方壁部６の内壁面で且つ入口開口２２がない部分、つまり前方壁部６の内壁面において左右方向中央位置Ａより入口用凹部２０とは反対側、より具体的には右側にオフセットした位置には、使用者がテレビモニタ３０を観るときに背をもたせかけることができる背もたれ３１が設けられている。
【００３０】
図５は、本考案の一実施形態に係る下側居室構造体４の正面図であり、図６は、本考案の一実施形態に係る下側居室構造体４の側断面図であり、図７は、本考案の一実施形態に係る下側居室構造体４の平断面図である。これらの図５乃至図７に示されるように、下側居室構造体４は、上側の居室構造体２と同様に略直方体の箱形であり、前方壁部３２、後方壁部３４、左右壁部３６，３８、天井壁部４０、及び底壁部４２を有し、これらの壁部で囲まれた空間が内部居室空間４４となっている。また、内部居室空間４４の前面は、使用者が内部居室空間４４へ入るための入口となる入口面を構成している。
【００３１】
下側居室構造体４の内寸横幅Ｗ３、つまり左右壁部３６，３８の内側壁面間の距離または内部居室空間４４の横幅寸法は、１３０ｃｍ以上に設定されており、本実施形態では、上側居室構造体２の内寸横幅Ｗ１と同じ１４０ｃｍに設定されている。また下側居室構造体４の内寸高さＨ３、つまり天井壁部４０の下側壁面と底壁部４２の上側壁面との間の距離または内部居室空間４４の高さ寸法は、１３０ｃｍ以上に設定されており、本実施形態では、上側居室構造体２の内寸横幅Ｗ１と同じ１４０ｃｍに設定されている。そして下側居室構造体４の内寸奥行きＤ３は、上側居室構造体２の内寸奥行きＤ１と同じ２２０ｃｍに設定されている。
【００３２】
図５及び図６に示すように、天井壁部４０のうち、入口面に接する部分のうち、上側居室構造体２の入口用凹部２０に対応する位置、つまり前方壁部３２の左右方向中央位置Ｂよりも右側にオフセットした位置、より具体的には、前方壁部３２の右端の位置には、入口用凹部２０の形状に対応した形状の、内部居室空間４４内に突出する凸部４６が設けられている。
凸部４６は、入口用凹部２０と同様に略直方体に形成され、本実施形態では、横幅ｗ３は、入口用凹部２０の横幅ｗ１に上側居室構造体２と下側居室構造体４の壁厚を加えて７５ｃｍに、凸部４６の高さｈ３は、入口用凹部２０の高さｈ１に上側居室構造体２と下側居室構造体４の壁厚を考慮して５０ｃｍに、凸部４６の奥行きｄ３は、入口用凹部２０の奥行きｄ１に上側居室構造体２と下側居室構造体４の壁厚を考慮して４５ｃｍに設定されている。
【００３３】
下側居室構造体４は、図１に示すように左右方向に複数並んで配置され、各凸部４６に上側居室構造体２の入口用凹部２０が嵌まるように配置される。したがって、上側居室構造体２は、下側居室構造体４に対して、入口用凹部２０の左右方向中央位置Ａからのオフセット量に対応する距離だけオフセットして配置されている。
【００３４】
下側居室構造体４の左右方向中央位置Ｂより凸部４６とは反対側にオフセットした位置の前方壁部３２には、使用者が内部居室空間へ入るための略矩形の入口開口４８が設けられており、入口開口４８以外の入口面は、前方壁部３２で覆われている。入口開口４８は、横幅Ｗ４が凸部４６が設けられていない部分の横幅ｗ４と同じで且つ上側居室構造体２の入口開口２２の横幅ｗ１と同じ６５ｃｍに設定され、高さＨ４が、底壁部４２の上面から１３５ｃｍに設定されている。
また、上側居室構造体２の入口用凹部２０は、下側居室構造体４の凸部４６に対応する位置に形成されているから、入口用凹部２０から延びるはしご２４は、下側居室構造体４において左右方向中央位置Ｂよりも凸部４６設けられた側、より具体的には右側にオフセットした位置に配置され、前方壁部３２の前方に配置されている。そしてはしごの右側の支柱２４Ａは、下側居室構造体４の右壁部３８の前方に位置している。
【００３５】
図７に示すように、内部居室空間４には、使用者が快適に過ごせるように、ベッド５０、使用者の荷物を置くことができるスペースである荷物置き場５２、及びテレビモニタ５４が設置されている。
ベッド５０は、内部居室空間４４において左右方向中央位置Ｂより、凸部４６が設けられた側、つまり右側にオフセットして設置され、その長手方向が内部居室空間４４の前後方向に沿うように配置されている。ベッド５０の足側の端部と前方壁部３２との間のスペースには、使用者が座ることができる、ベッド５０のマットの厚さと同じ厚さのマット５１が配置されている。
荷物置き場５２は、内部居室空間４４において左右方向中央位置Ｂより、凸部４６が設けられた側とは反対側、つまり左側にオフセットして配置されている。
テレビモニタ５４は、内部居室空間４４において前方壁部３２に対向する後方壁部３４の内壁面に設置されている。また、テレビモニタ５４が設けられた後方壁部３４に対向する前方壁部３２の内壁面には、使用者がテレビモニタ５４を観るときに背をもたせかけることができる背もたれ５５が設けられている。
【００３６】
このような構成の居室構造体１は、使用者が上側居室構造体２を使用する場合には、使用者ははしご２４を登って入口用凹部２０まで上がり、入口開口２２から内部居室空間１８に入る。このとき、使用者がはしご２４を登るまえに荷物を入口用凹部２０まで持ち上げてもよい。内部居室空間１８には荷物置き場２８が設けられているので、使用者は荷物を荷物置き場２８に置くことができる。
テレビモニタ３０でテレビを鑑賞する場合には、マット２７に座り、背もたれ３１に寄りかかって鑑賞することができる。
使用者が下側居室構造体４を使用する場合には、使用者は入口開口４８から内部居室空間４４に入り、荷物を荷物置き場５２に置く。テレビモニタ５４でテレビを鑑賞する際には、使用者はマット５１に座って背もたれ５５に寄りかかって鑑賞することができる。
【００３７】
このように構成された本実施形態によれば、次のような優れた効果を得ることができる。
上側居室構造体２の底壁部１６に入口用凹部２０が設けられているので、この上側居室構造体２を下側居室構造体４の上に配置した際、入口用凹部２０の高さは、他の部分の底壁部１６の高さより低くなる。よって、床面Ｆから上側居室構造体の入口用凹部２０までの高さが低くなるから、使用者がはしご２４を使用して上側居室構造体４に上がる際の恐怖心を低減することができる。また、床面Ｆから上側居室構造体４の入口用凹部２０までの高さが低くなるので、使用者が荷物を入口用凹部２０まで容易に持ち上げることができる。
また、入口用凹部２０を設けることにより、使用者に恐怖心を抱かせたり荷物の持ち上げの負担を強いたりすることなく上側居室構造体４及び下側居室構造体２の高さを高くすることができるから、上側居室構造体４及び市側居室構造体２の内寸高さＨ１，Ｈ３をより高く設定することができ、より広い内部居室空間１８，４４を確保することができる。
【００３８】
入口用凹部２０から床面Ｆに延びるはしご２４が取り付けられているので、上側居室構造体４に使用者が登る際にはしご２４を用いて入口用凹部２０まで登りやすくなり、上側居室構造体４を使用しやすくなる。
入口用凹部２０に接する入口面である前方壁部６に入口開口２２が設けられているので、使用者が入口開口２２から内部居室空間１８へ入りやすくなる。
入口用凹部２０は、前方壁部６の左右方向中央位置Ａより左側にオフセットして配置されているので、内部居室空間１８を上から見たときに入口用凹部２０が内部居室空間１８の端に配置されるから、使用者が内部居室空間１８内を移動する際に入口用凹部２０に足を取らやすくなるなどの不具合を回避することができる。
【００３９】
内部居室空間１８内に、左右方向中央位置Ａより、入口用凹部２０が設けられた側とは反対側、つまり右側にオフセットした位置に、ベッド２６が配置されているので、就寝時や起床時に使用者が入口用凹部２０に足を取られやすくなるなどの不具合を回避することができる。
内部居室空間１８内に、左右方向中央位置Ａより、入口用凹部２０が設けられた側、つまり左側にオフセットした位置に、荷物置き場２８が設けられているので、使用者が内部居室空間１８に荷物を運んで荷物を管理することができ、利便性が向上する。
【００４０】
下側居室構造体４の天井壁部４０において入口用凹部２０に対応する位置に凸部４６が設けられているので、下側居室構造体４と上側居室構造体２とを上下に積み重ねる際には下側居室構造体４の凸部４６と上側居室構造体２の入口用凹部２０とが互いに嵌まり合う。したがって、上側居室構造体２が入口用凹２０部を有している場合にも、上側と下側の居室構造体２，４を上下干渉することなく積み重ねることができる。
【００４１】
凸部４６が、左右方向中央位置Ｂより右側により具体的には右端にオフセットして配置されているので、内部居室空間４４内で凸部４６が端に配置されるから、使用者が内部居室空間４４で移動する際に凸部４６に頭部をぶつけるなどの不具合を回避することができる。
入口開口４８は、左右方向中央位置Ｂより、凸部４６が設けられた側とは反対側、より具体的には左側にオフセットして配置されているので、使用者が入口開口４８から内部居室空間４４に入ったときに凸部４６に頭部をぶつけるなどの不具合を回避することができる。
【００４２】
内部居室空間４４内に、左右方向中央位置Ｂより、凸部４６が設けられた側、つまり右側にオフセットした位置に、ベッド５０が配置されているので、凸部４６が設けられて天井高さが低くなった領域を有効活用することができ、使用者が凸部４６に頭をぶつけるなどの不具合を回避することができる。
内部居室空間４４内に、左右方向中央位置Ｂより、凸部４６が設けられた側とは反対側、つまり左側ににオフセットした位置に、荷物置き場５２が設けられているので、使用者が内部居室空間４４に荷物を運んで管理することができるから、利便性が向上する。
内部居室空間内４４の後方壁面３４に、テレビモニタ５４が配置されているので、内部居室空間４４内の壁面スペースを有効活用することができる。
【００４３】
上側居室構造体２及び下側居室構造体４の内寸高さＨ１，Ｈ３が、１４０ｃｍで１３０ｃｍ以上となっており、内寸横幅Ｗ１，Ｗ３も１４０ｃｍで１３０ｃｍ以上であるので、内部居室空間１８，４４の高さ及び横幅を十分に確保することがえき、内部居室空間１８，４４の快適性を向上させることができる。
【００４４】
前方壁部６，３２が、入口開口２２，４８以外の部分を壁部で覆っているので、前方壁部６，３２の内壁面に背もたれ３１，５５を配置することができるから、居室構造体１の利便性を向上させることができる。
【００４５】
本考案は、以上の実施の形態に限定されることなく、例えば、以下のような態様であってもよい。
入口用凹部は、前述の実施形態では、前方壁部６に接する部分の左端の部分に約４６％の横幅にわたって形成されていたが、これに限らず、例えば前方壁部６の全体に形成されていてもよく、要するに、底面のうち、入口面に接する部分の少なくとも一部に形成されていればよい。
入口用凹部及び凸部の平面視での形状は、前述の実施形態にような矩形に限らず、例えば平面視で直半円形や半楕円形等任意の形状を採用することができる。また、入口用凹部及び凸部の形状は、前述の実施形態のような直方体に限らず、例えば一方が傾斜面や湾曲面、階段面を有していてもよく、任意の形状を採用することができる。
【００４６】
入口用凹部は、前述の実施形態では、左右方向中央位置Ａから左側にオフセットして配置され、凸部４６は、左右方向中央位置Ｂから右側にオフセットして配置されていたが、これに限らず、例えば入口用凹部は左右方向中央位置から右側にオフセットして配置され、凸部が左右方向中央位置から左側にオフセットして配置されていてもよい。また、入口用凹部及び凸部は、左右方向中央位置から左右いずれかにオフセットして配置されていなくてもよく、例えば左右方向中央位置に配置されていてもよい。
入口開口以外の前面を壁部で必ずしも覆わなくてもよく、例えば前方壁面を設けず前面全体が開口となっていてもよい。
【００４７】
はしご、ベッド、荷物置き場、テレビモニタ、背もたれ等は、内部居室空間内の任意の位置に設置してよく、またこれらの付属品は必ずしも設置されていなくてもよい。例えば、テレビモニタは、前述の実施形態では、内部居室空間において後方壁部の内壁面に設置されていたが、これに限らず、例えば入口面内面、つまり前方壁部の内壁面に設けられていてもよい。また、はしごは、前述の実施形態では、入口開口の右側にオフセットして配置されていたが、これに限らず、例えば入口開口の幅方向中央に配置されていてもよい。
【００４８】
居室構造体を室内に配置する際には、居室構造体の設置位置に対して、居室構造体にアクセスするための廊下の配置を工夫する居室構造体配置構造を採用してもよい。図８は、本考案の他の実施形態に係る下側居室構造体の配置構造を示す図である。この図８に示すように、例えば建物の一フロアに複数の下側居室構造体４を配置する場合（図８ではそのうちの１つを示す）、下側居室構造体４の前方には廊下５６が配置されている。廊下５６の上面である廊下面５６Ａは、下側居室構造体４の設置面Ｆよりも高い位置に設置されており、したがって廊下面５６Ａと設置面Ｆとの間には、空間５８が形成される。この空間５８において下側居室構造体４に対向する面には、引戸６０が設けられている。これにより、下側居室構造体４の使用者は、下側居室構造体４内から引き戸６０を開けて、空間５８に荷物を収容することができる。よって下側居室構造体４の利便性を向上させることができる。なお、もちろん図８に示す居室構造体配置構造において、図１に示すように上側居室構造体２を下側居室構造体４の上に配置してもよい。
【符号の説明】
【００４９】
１  居室構造体
２  上側居室構造体
４  下側居室構造体
６，３２  前方壁部（入口面）
１６，４２  底壁面（底面）
２０  入口用凹部
２２，４８  入口開口
２４  はしご
２６，５０  ベッド
２８，５２  荷物置き場
３０，５４  テレビモニタ
３１，５５  背もたれ
４６  凸部
【図１】
0003217524.tif 000003
【図２】
0003217524.tif 000004
【図３】
0003217524.tif 000005
【図４】
0003217524.tif 000006
【図５】
0003217524.tif 000007
【図６】
0003217524.tif 000008
【図７】
0003217524.tif 000009
【図８】
0003217524.tif 000010
【手続補正書】
【提出日】平成30年6月15日(2018.6.15)
【手続補正１】
【補正対象書類名】実用新案登録請求の範囲
【補正対象項目名】全文
【補正方法】変更
【補正の内容】
【実用新案登録請求の範囲】
【請求項１】
上下に積み重ね可能な居室構造体であって、
前記居室構造体の内部居室空間へ入るための入口となる入口面と、
前記居室構造体の底面とを有し、
前記底面のうち、前記入口面に接する部分の少なくとも一部には、所定の奥行きにわたって他の部分の前記底面より低く配置された入口用凹部が設けられている、
ことを特徴とする居室構造体。
【請求項２】
前記居室構造体が他の居室構造体の上に積み重ねられている状態で、
前記入口用凹部の位置には、前記他の居室構造体の接地面と前記入口用凹部とをつなぐはしごが取り付けられている、
請求項１に記載の居室構造体。
【請求項３】
前記入口用凹部に接する前記入口面には、前記内部居室空間へ入るための入口開口が設けられている、
請求項１または請求項２に記載の居室構造体。
【請求項４】
前記入口用凹部は、前記入口面の左右方向中央より左右いずれかにオフセットして配置されている、
請求項１から請求項３のいずれか１項に記載の居室構造体。
【請求項５】
前記内部居室空間内には、前記入口面の左右方向中央より、前記入口用凹部が設けられた側とは反対側にオフセットした位置に、ベッドが配置されている、
請求項４に記載の居室構造体。
【請求項６】
前記内部居室空間内には、前記入口面の左右方向中央より、前記入口用凹部が設けられた側にオフセットした位置に、使用者の荷物を置くことが可能なスペースが設けられている、
請求項４または請求項５に記載の居室構造体。
【請求項７】
請求項１から請求項６のいずれか１項に記載の前記居室構造体を上に積み重ね可能な居室構造体であって、
前記居室構造体の天井面を有し、
前記天井面には、前記入口用凹部に対応する位置に、前記入口用凹部の形状に対応する形状の、前記内部居室空間内に突出する凸部が設けられている、
ことを特徴とする居室構造体。
【請求項８】
前記凸部は、前記居室構造体の入口面の左右方向中央より左右いずれかにオフセットして配置されている、
請求項７に記載の居室構造体。
【請求項９】
前記入口面に、前記内部居室空間へ入るための入口開口が設けられ、
前記入口開口は、前記入口面の左右方向中央より、前記凸部が設けられた側とは反対側にオフセットして配置されている、
請求項８に記載の居室構造体。
【請求項１０】
前記内部居室空間内には、前記入口面の左右方向中央より、前記凸部が設けられた側にオフセットした位置に、ベッドが配置されている、
請求項９に記載の居室構造体。
【請求項１１】
前記内部居室空間内には、前記入口面の左右方向中央より、前記凸部が設けられた側とは反対側にオフセットした位置に、使用者の荷物を置くことが可能なスペースが設けられている、
請求項９または１０に記載の居室構造体。
【請求項１２】
前記内部居室空間内には、前記入口面の内面に、テレビモニタが配置されている、
請求項１から請求項１１のいずれか１項に記載の居室構造体。
【請求項１３】
前記居室構造体の内寸高さは、１３０ｃｍ以上である、
請求項１から請求項１２のいずれか１項に記載の居室構造体。
【請求項１４】
前記居室構造体の内寸横幅は、１３０ｃｍ以上である、
請求項１から請求項１３のいずれか１項に記載の居室構造体。
【請求項１５】
前記入口面に、前記内部居室空間へ入るための入口開口が設けられ、
前記入口面は、前記入口開口以外の部分が壁部で覆われている、
請求項１から請求項１４のいずれか１項に記載の居室構造体。
【請求項１６】
請求項７から請求項１１のいずれか１項に記載の居室構造体と、
前記居室構造体の入口面に隣接して配置された廊下と、を備え、
前記廊下の廊下面は、前記居室構造体の設置面よりも高く設置され、
前記廊下面と前記設置面との間には、荷物を収納可能な空間が形成される、
ことを特徴とする居室構造体配置構造。